(57)【要約】【課題】  テレビジョン放送やインターネット放送などの視聴に用いられる映像表示装置において、電源投入後、表示装置の待機時間があっても、放送をさかのぼって見ることのできる映像表示装置を実現する。【解決手段】  所定時間分の記憶装置を内蔵した映像表示装置において、電源投入と同時に記憶装置が入力信号の記憶を開始し、表示装置の待機時間完了の時点から記憶装置に記憶された待機時間中の入力信号による映像を再生表示するようにした。【選択図】  図１
2010010799.tif 000002
【特許請求の範囲】
【請求項１】
所定時間分の記憶装置を内蔵した映像表示装置において、電源投入と同時に記憶装置が入力信号の記憶を開始し、表示装置の待機時間完了の時点から記憶装置に記憶された待機時間中の入力信号による映像を再生表示することを特徴とする映像表示装置。
【請求項２】
前記記憶装置の記憶動作は、前回電源遮断時の設定によって行なうようにしたことを特徴とする請求項１に記載の映像表示装置。
【請求項３】
前記記憶装置の記憶動作は、あらかじめ指定された番組に対して行なうようにしたことを特徴とする請求項１に記載の映像表示装置。
【請求項４】
前記記憶装置から待機時間中の入力信号による映像を再生表示する速度を入力時より所定倍率分速くすることで、表示されている映像の入力信号に対する遅延時間を徐々に減少させるようにしたことを特徴とする請求項１〜請求項３のいずれかに記載の映像表示装置。
【請求項５】
前記遅延時間の大きさに応じて前記所定倍率を変化させ、遅延時間が解消して入力信号の実時間表示に移行する際の速度変化を滑らかになるようにしたことを特徴とする請求項１〜請求項４のいずれかに記載の映像表示装置。
【請求項６】
前記待機時間中に入力信号の切換え操作または入力信号の番組内容に変化が生じた場合には、その時点を待機時間完了時の再生表示開始位置とするようにしたことを特徴とする請求項１〜請求項５のいずれかに記載の映像表示装置。
【請求項７】
前記番組内容に変化による再生表示開始位置の変更は、待機時間中の一回目のみ行なうようにしたことを特徴とする請求項６に記載の映像表示装置。
【請求項８】
前記待機時間完了予告を表示または音声で行なうようにしたことを特徴とする請求項１〜請求項７のいずれかに記載の映像表示装置。
【請求項９】
前記記憶装置は揮発性メモリーであることを特徴とする請求項１〜請求項８のいずれかに記載の映像表示装置。
【発明の詳細な説明】
【技術分野】
【０００１】
本発明は、テレビジョン放送やインターネット放送などの視聴に用いられる映像表示装置に関するものである。より詳しくは、電源投入後、表示装置の待機時間があっても、放送をさかのぼって見ることのできる映像表示装置を実現する技術に関するものである。
【背景技術】
【０００２】
近年、テレビジョン放送は衛星放送やデジタル放送の実用化により画質の改善と多チャンネル化が進み、また、ケーブルテレビやADSLなどで家庭への通信回線のいわゆるブロードバンド化によって、インターネットを利用した放送も現実に行なわれようとしており、ますます画質の改善と数百チャンネル以上ともいわれる多チャンネル化が加速している。このような映像ソースの変化に対応して、表示装置も大画面で高画質のものが開発され普及している。また、豊富になった映像ソースを自由な時間に視聴するための録画再生装置も磁気テープを使用したアナログ記録方式のものに加えて、デジタル記録方式のものが市販され、さらにランダムアクセスが可能な磁気ディスクや光ディスク、半導体メモリーを用いたものが提案されている。このランダムアクセス性を利用して、放送視聴中に数秒分を再視聴したり、来客等で中座しても後で続きを視聴できたり、録画中の番組の放送中に録画を続行しながら冒頭から視聴を開始できるようにするなど、磁気テープでは不可能な機能を実現する技術が、特許文献１や特許文献２、特許文献３などで提案されている。
【特許文献１】特開平01-166679号公報
【特許文献２】特開平06-014289号公報
【特許文献３】特開平07-231421号公報
【発明の開示】
【発明が解決しようとする課題】
【０００３】
前述したように各種の大型の表示装置が実用に供されてきているが、装置の電源投入後、実際に視聴を開始するまでには、数秒から数十秒の待機時間がある。例えば、CRTの場合であれば、電子銃から熱電子が充分に放出されるまでの時間として十秒前後の時間を要する。さらに、加速電極用の高電圧部の動作も含めて安定した良好な映像を表示するためには数十秒から数分かかるものもある。投射型表示装置の場合にも、光源に用いる高圧放電ランプの点灯状態が安定化し、充分な光量になるまでに数十秒から数分かかるものが多い。
【０００４】
実際には数秒ないし三十秒程度で実用上充分な状態になるが、それまでの過渡状態の間は見苦しい画像を表示するようになっているものが多い。
【０００５】
このような待機時間は、より大画面で高画質なものになるほど長くなってしまう傾向があり、録画されたビデオテープやDVDの視聴時のように、視聴開始時間が自由になる場合はあまり問題にならないが、放送のように時間が決まっている場合は問題がある。
【０００６】
すなわち、希望の番組が始まる時間より早めに装置の電源を入れなければ、この待機時間分を見逃してしまうことになる。ニュース番組のように短時間に区切られた項目順に放送される番組の場合、見たい項目が終わってしまう可能性もあり、わずかな待機時間であっても、このような場合の視聴者の焦燥感は大きいものである。
【０００７】
そこで、前述のランダムアクセス性の記憶装置を用いる技術を利用して、見ることのできなかった項目を視聴することが考えられる。しかしながら、前述の特許文献１、特許文献２、特許文献３に開示されているように、いずれにおいても、あらかじめ記憶装置を動作させて番組を蓄積しておかねばならない。すなわち、常に記憶装置を動作させておくことが前提になっており、その分電力を消費し続けることになってしまう。最近、家庭用録画再生装置の待機電力の浪費が社会的な問題になり、時計表示さえ消灯して節電するものが登場しており、この電力浪費は問題である。
【０００８】
また、蓄積する番組をあらかじめ指定しておく手間も面倒であり、指定した番組と異なる番組を視聴したい場合などは、その変更の手間も必要である。特に最近の表示装置でよく行われているように画面内にチャンネルなどのモード表示を行なうようになっている場合は、表示装置の待機時間完了までその変更が行ないにくいため、かえって実質的な待機時間が長くなってしまうという不都合が生じる。
【課題を解決するための手段】
【０００９】
本発明では、所定時間分の記憶装置を内蔵した映像表示装置において、電源投入と同時に記憶装置が入力信号の記憶を開始し、表示装置の待機時間完了の時点から記憶装置に記憶された待機時間中の入力信号による映像を再生表示するようにした。
【００１０】
また本発明のさらに好ましい実施態様では、前記記憶装置は前回電源遮断時の設定を元に記憶動作を開始するようにした。
【００１１】
また本発明のさらに好ましい実施態様では、前記記憶装置はあらかじめ指定された番組に対して記憶動作を開始するようにした。
【００１２】
また本発明のさらに好ましい実施態様では、前記記憶装置から待機時間中の入力信号による映像を再生表示する速度を入力時より所定倍率分速くすることで、表示されている映像の入力信号に対する遅延時間を徐々に減少させるようにした。
【００１３】
また本発明のさらに好ましい実施態様では、前記遅延時間の大きさに応じて前記所定倍率を変化させ、遅延時間が解消して入力信号の実時間表示に移行する際の速度変化を滑らかになるようにした。
【００１４】
また本発明のさらに好ましい実施態様では、前記待機時間中に入力信号の切換え操作または入力信号の番組内容に変化が生じた場合には、その時点を待機時間完了時の再生表示開始位置とするようにした。
【００１５】
また本発明のさらに好ましい実施態様では、前記番組内容の変化による再生表示開始位置の変更は待機時間中の最初の一回目のみとするようにした。
【００１６】
本発明のさらに好ましい実施態様では、待機時間完了予告を表示または音声で行なうようにした。
【００１７】
本発明のさらに好ましい実施態様では、記憶装置に揮発性メモリーを使用した。
【発明の効果】
【００１８】
以上説明したように本発明によれば、所定時間分の記憶装置を内蔵した映像表示装置において、電源投入と同時に記憶装置が入力信号の記憶を開始し、表示装置の待機時間完了の時点から記憶装置に記憶された待機時間中の入力信号による映像を再生表示するようにしたので、待機時間中の番組をみのがすことがなくなる効果がある。
【００１９】
また本発明のさらに好ましい実施態様では、前記記憶装置は前回電源遮断時の設定を元に記憶動作を開始するようにしたので、面倒な設定作業が不要である効果がある。
【００２０】
また本発明のさらに好ましい実施態様では、前記記憶装置はあらかじめ指定された番組に対して記憶動作を開始するようにしたので、好みの番組が見られる効果がある。
【００２１】
また本発明のさらに好ましい実施態様では、前記記憶装置から待機時間中の入力信号による映像を再生表示する速度を入力時より所定倍率分速くすることで、表示されている映像の入力信号に対する遅延時間を徐々に減少させるようにしたので、表示開始時の時刻差をいずれ解消できる効果がある。
【００２２】
また本発明のさらに好ましい実施態様では、前記遅延時間の大きさに応じて前記所定倍率を変化させ、遅延時間が解消して入力信号の実時間表示に移行する際の速度変化を滑らかになるようにしたので、不自然な画面の乱れなどを防止することができる効果がある。
【００２３】
また本発明のさらに好ましい実施態様では、前記待機時間中に入力信号の切換え操作または入力信号の番組内容に変化が生じた場合には、その時点を待機時間完了時の再生表示開始位置とするようにしたので、表示開始の冒頭から切りの良い番組の視聴を開始できる効果がある。
【００２４】
また本発明のさらに好ましい実施態様では、前記番組内容の変化による再生表示開始位置の変更は待機時間中の最初の一回目のみとするようにしたので、短時間の楽曲などを聞き逃すことがなくなる効果がある。
【００２５】
本発明のさらに好ましい実施態様では、待機時間完了予告を表示または音声で行なうようにしたので、切り良く冒頭から開始される番組を見逃すことを防止する効果がある。
【００２６】
本発明のさらに好ましい実施態様では、記憶装置を揮発性メモリーとしたので、低コストでかつ瞬時に記憶動作ができ、また著作権上の問題も生じない顕著な効果がある。
【発明を実施するための最良の形態】
【００２７】
次に、本発明の詳細を実施例の記述に従って説明する。
【００２８】
以下、図面を参照して、本発明の実施の形態を詳細に説明する。
【実施例１】
【００２９】
本発明に係る映像表示装置の概略構成について図１のブロック図を用いて説明する。
【００３０】
電波またはケーブルなどに伝送路を経由して放送されるテレビジョン信号は、受信部101で受信され、復調される。放送波は、アナログ放送、デジタル放送など各種あるが、本発明はいずれについても適用可能である。ここではデジタル放送の場合について説明する。
【００３１】
受信部の機能は、多数ある番組から所望の番組を選択して、ビットストリームと呼ばれるデジタル信号を復調して出力することである。このビットストリームには、MPEG方式などの名称で知られるようなデジタル圧縮された映像情報、音声情報に加えて、映像や音声のモード（走査線数や多国語かステレオかなど）や字幕、関連ホームページのアドレスなどの番組関連データが含まれている。ここでは、この番組関連データ部分を制御情報と呼ぶことにする。なお、伝送容量の余裕を利用して天気や株価などの番組とは直接関連の無いデータも送られることがあるが、ここでの動作に直接には関連しないので説明を省略する。
【００３２】
さて、受信部101から出力されたビットストリームから制御信号検出部102は、番組の開始やニュース項目の推移、楽曲の開始などの番組変化を検出する。この番組変化は、放送局側で指定されるものであり、デジタル放送ではその意味を規定されたコード信号を用意すれば楽曲の開始のような細やかな内容が抽出可能であるが、映像や音声のモード変化など番組の変化を容易に推測できるものがアナログ放送でも抽出可能である。この番組変化が検出された時刻はシステムコントローラ108に通知される。
【００３３】
次に、ビットストリームは、所定時間分のビットストリームを記憶可能な半導体メモリーからなる記憶装置103に記憶される。なお、記憶装置103は、半導体メモリーに限定されるものではなく、磁気ディスク、光ディスクでもよい。所定容量を有するランダムアクセス可能なものであればよい。なお、デジタル放送のビットストリームの場合、すでに映像音声ともにデジタル圧縮されているので、そのまま、あるいは並べ替えや誤り訂正処理後の冗長部分を除去した状態で記憶すればよい。しかし、アナログ放送の場合やデジタル放送の場合でも必要に応じて映像あるいは／および音声にデジタル圧縮を施して、記憶容量を節約してもよい。記憶信号の再生時のデジタル伸長処理も含めて、記憶装置として入力された信号を指定位置から実質的に瞬時に再生するものをここでは記憶装置103と呼んでいる。また、制御信号も一緒に記憶されていなければならない。
【００３４】
記憶装置103から再生出力されるビットストリームは、映像信号情報は映像信号処理部106、音声信号情報は音声信号処理部104に送られ、それぞれ映像表示部107、音声出力部105から出力されて、視聴者に視聴される。また、制御信号情報はシステムコントローラ108に送られ、映像信号処理部106、音声信号処理部104の制御やモード表示部109の表示に用いられる。なお、モード表示部109は、複数のLEDなどのモード表示用ランプ、ドットマトリックスディスプレイなどのキャラクター表示器など、通常映像表示装置に用いられている物でよい。あるいは、映像表示部の映像にスーパーインポーズする物でもよい。その場合、表示部の待機中は不完全な表示状態であるので、操作に支障を生じぬよう配慮する必要はある。
【００３５】
なお、システムコントローラ108には操作信号入力部110からの操作信号も入力され、操作指示に応じて各種動作を行なうよう、プログラムされている。この操作信号入力部110には、電源スイッチと番組変更指示のためのチャンネルボタンが少なくとも含まれていなければならないが、他にも多くのスイッチやボタンが用意されており、明るさや音声ボリウムなどの調整や時刻設定などの各種の操作を行なえるようになっている。もちろん赤外線などを利用したリモコンでもよい。
【００３６】
次に、図３のフローチャートを用いて、本発明の映像表示装置の一例の動作を説明する。
【００３７】
まず、最初は電源がオフの状態であり、各部の電源がすべてオフになっており、消費電力がゼロの状態である。もちろん、リモコンによる電源スイッチの切換えのみが行なえるようリモコン検知器などの最少部分のみ電源が入っていても良い。この状態で、操作信号入力部110の電源スイッチをオンに切換えることで一連の動作が開始される。（２０１）
電源がオンになると、各部に電源が供給され始め、システムコントローラ108はリセットされてROMなどに格納されたプログラムによって動作を開始する。まず、前回電源遮断時の設定を不揮発性メモリーから読み出して（２０２）、この設定に基づいて、各部の立ち上げ動作が開始される。（２０３）受信部101は直ちに前回と同じチャンネルの受信を開始し、記憶装置103は受信されたビットストリームを記憶し始める。この段階ではまだ記憶装置からの出力は行われず、したがって、映像信号処理部106と音声信号処理部104は待機状態である。一方、映像表示部107は、表示機の立ち上げ動作を開始する。例えば、リアプロジェクターであれば、高圧放電ランプが起動し、一連の放電起動動作が行われる。
【００３８】
この最初の時点で、システムコントローラ108はビットストリームが受信され始めた時刻を再生開始時刻としてメモリーする。（２０４）
こうして装置は映像表示部107が安定状態となるまで、待機状態となるが、本例では一定時間をもって準備完了としている。この準備完了の判断は、このように時間で行なうのが簡単であるが、放電電流の大きさや発光光量を検知するようにしてもよい。温度などの環境の影響や経時変化が大きい場合は、そのような方法が有効であるが、記憶部の必要な容量は想定される最大待機時間に合わせて定める必要がある。もちろん、一定時間がすぎたら強制的に準備完了としてしまい、その前に放電電流の大きさや発光光量を検知する方法で準備完了となった場合はそれだけ早く表示開始できるようにしてもよい。また、記憶容量が不足する場合は、記憶容量がいっぱいになったら、古い方から書き換えていく動作を行なうようにして、記憶容量分だけ溯れるようにしてもよい。
【００３９】
さて、この待機時間中は、操作信号入力部110からチャンネル変更の指示が行なわれたか（205）、あるいは制御信号検出部102から番組の変化が検出されたか（207）した場合、再生開始時刻をその時点に変更する（204）。もちろんチャンネル変更の場合は受信チャンネルを切換える（206）。このようにすることによって、待機時間中の中途半端な部分を視聴すること無く、表示の開始が番組の切りの良いところから開始されるようにできる。なお、この再生開始時刻のリセットは、チャンネル切換えの場合にはその都度リセットすればよいが、ニュースの項目の切れ目などのように番組内容の変化の場合は最初の一回目の変化ではリセットしたほうがよいが、二回目以降はリセットしない方がよい場合がある。したがって、番組内容の変化については一回目のみリセットするようにしてもよいし、番組の内容がニュースかドラマかなど制御情報から検出できる場合にはそれに応じて変化させてもよいし、視聴者が設定できるようにしてもよい。
【００４０】
待機時間が終わり、映像表示部の準備が完了すると（208）、再生開始時刻指定位置からのビットストリームが記憶部103から送出される。（209、210）
このときの再生速度は、本例では再生開始時刻と現在時刻の差によって決定している。これは、再生倍率を1倍として時刻差を解消しないままにすると、番組の終わった時点でチャンネルを切換えたときに、この時刻差の影響で次に視聴する番組がすでに始まってしまっていることがありうるなどの不都合があるためである。しかし、迅速にこの時刻差を解消するためには再生速度を速めなければならないが、あまり速くすると、不自然になってしまい、たとえ、映像のちらつきを抑え、音声の音程変換処理を行なって軽減されてはいても、多少は見苦しく、聞き苦しくなってしまう。たとえば、この時刻差が１０秒程度であれば、1.1倍速で再生すれば１００秒程度で時刻差をなくすことができるが、３０秒あると、３００秒、すなわち5分間もかかってしまう。そこで、１０秒以下なら１．０５倍、10秒から２０秒なら1.１倍、２０秒超なら１．２倍としておくことで、３分程度で時刻差が解消するようにしている。もちろんこれは必ずしも必須ではなく、一律に1.1倍としてもよい。また、ニュース番組では比較的大きな倍率で早めに追いつかせ、音楽番組やドラマなどのように長時間の番組では倍率を低めに設定するように、番組内容に応じて変えるようにしてもよい。要は、再生倍率を若干でも速めにすることで、時刻差を解消するようにしてあるほうが好ましいということであって、再生倍率が1倍で時刻差を解消しないようにしてもかまわない。なお、再生倍率を速める場合に映像に生じるちらつきなどの妨害を防止し、音声を音程変換技術で不自然さを抑える技術は、公知の技術が適用可能である。
【００４１】
このような記憶情報の再生開始時刻と現在時刻の時刻差をグラフにしたものを図２に示す。
【００４２】
図のように、電源オンから約４０秒の待機時間中は、時間の経過とともに時刻差が増大し、表示開始とともに、再生倍率（この例では１．２倍）に応じて徐々に減少する。また、本発明により、待機時間中に番組の変化があると、時刻差がリセットされる動作がこの図では電源オンの約１０秒後に起きたことが読み取れる。
【００４３】
なお、この倍率を再生開始時点の時刻差で決めるのではなく、再生動作中の時刻差に応じて随時変化させてもよい。図5のように、時刻差に比例するように再生倍率を設定すると、図6のように時刻差を滑らかに解消させられるので、時刻差が解消した時の再生速度の不連続な変化をなくすことができる。ただし、このようにするためには、連続的に再生速度を変化させられる記憶装置が必要である。
記憶装置が段階的な再生速度にしか対応できない場合は、図７のように時刻差に応じて段階的に変化させることで、図８のように時刻差が解消した時の再生速度変化を小さくすることができる。図２に比較すると、再生速度変化が段階的になることで一回あたりの変化を小さくできるので、不自然さをおさえることが可能である。
【００４４】
次に、表示開始後の記憶装置103を利用した遡及再生や一時停止の動作を図４のフローチャートを用いて説明する。前述のように表示開始後、記憶装置103は時刻差に応じた倍率で再生動作を行なうが、当然受信中の新たなビットストリームの記憶も続けている。したがって、記憶装置には電源オンから現在までのビットストリームが記憶されており、容量が満杯になると最古のデータを消しながら最新のデータを記録していくことになり、その時点での再生位置は徐々に最新データに近づいていき、時刻差解消時点で再生位置が最新データに一致する。この状態にいたるまでは、再生位置より過去側のデータと未来側のデータが、この状態に至った後は過去側のデータのみが、記憶されている状態である。そこで、操作信号入力部110から遡及画面要求指示が入力されると（303）、システムコントローラから記憶装置103に一定時間前（本例では１秒、この時間は視聴者が好みにより設定可能としてもよい）の画面を静止画再生するよう指示が行なわれる（302）。新たなビットストリームは追加記憶動作として記憶が続行され、一方、過去の記憶されているデータは一定時間分を遡及記憶部分として保持される。記憶容量が満杯の場合、追加記憶動作により、最古のデータが徐々に消されていくが、この遡及記憶部分は消去されずに保持される。このため、この状態でリモコンなどで操作信号入力部110から、逆方向再生やこま送りなどの特殊再生指示を行なうと、これに応じて記憶装置103は遡及記憶および追加記憶の範囲内で映像音声の再生動作を行なう（306）。
【００４５】
この機能により、視聴者は番組の途中の好きな時点で一定範囲での特殊再生が行なえるので、メモをとったり、プリンターを接続してあれば画面のハードコピーを取るなど、所望の処理をゆっくり正確に行なうことができる。
【００４６】
遡及再生を解除して通常の視聴にもどるには、解除指示を入力する（307）。この時、記憶装置103は、遡及記憶部の保持を解除し、追加記憶の冒頭から再生動作を開始する。個の時、追加記憶の冒頭と現在時刻の時刻差に応じて、再生速度を設定するのは、前述した電源オン後の動作と同様である。なお、遡及再生を長時間行なうと、前述のように遡及再生指示の時点以降の追加記憶部分は最新側の一定量のみが保持されており、視聴できない時間が生じるが、これは記憶装置103の容量で制限される。なお、この問題を解決するには、追加記憶の容量を大きくすることが必要であり、このために、大容量の記憶装置、たとえば磁気ディスクなどを用いればよい。しかしながら、本発明の主旨からすれば、電源オン時の待機時間分より若干大きい程度にとどめて、半導体メモリーを採用するほうが、記憶動作を瞬時に開始させたり、消費電力を節約したり、またコントローラなどの処理回路とともに集積化が可能であることなどから望ましい。
【００４７】
遡及再生でなく、一時停止の指示入力が行なわれた場合（304）、記憶装置103は、その時点の画面を静止画表示し、新たなビットストリームは追加記憶動作として記憶が続行される。（305）その後の操作は前述の遡及再生指示の場合と同様である。
【００４８】
この一時停止操作は、来客などで、番組途中で一時中断し、一定時間後視聴を再開する場合に使用するものである。したがって、この場合は、遡及再生を行なう可能性がひくいので、遡及記憶保持の量をゼロあるいはごく少量にして、追加記憶の容量を増やした方が都合がよい。たとえば、全記憶容量が６０秒分のとき、遡及再生の場合は、遡及記憶分として３０秒分を保持し、追加記憶分を３０秒、一時停止の場合は遡及記憶分を５秒、追加記憶分を５５秒というように差をつけるのがよい。
【００４９】
以上説明したように、本発明によれば、電源投入と同時に記憶装置が入力信号の記憶を開始し、表示装置の待機時間完了の時点から記憶装置に記憶された待機時間中の入力信号による映像を再生表示するようにしたので、待機時間中に番組が始まってしまっても見逃すことがなく、さらに、待機時間中にチャンネルを変更した場合はその変更した時点から、また番組の開始を検知した場合はその開始時点から、再生を開始するようにしたので、待機時間が完了して表示が始まるとき、その冒頭から所望の番組を見ることができるという優れた効果が得られた。
【００５０】
［その他の実施例］
前述の実施例では、待機時間完了後直ちに再生を開始していたが、この待機時間中に視聴者が他に注意を向けていることが考えられ、その場合は冒頭を見逃す可能性がある。特に待機時間中に番組開始や楽曲の開始を検出した場合は、その冒頭を見逃さぬように予告を行なうと都合が良い。
【００５１】
すなわち、時間または、高圧電流値などから、待機時間完了までN秒になったことを検知できれば、その時点でモード表示部109で表示開始の予告表示を行なえばよい。
【００５２】
図９はそのフローチャートであって、予告表示の部分以外は前記第一の実施例と同様である。
【００５３】
この予告表示は、LEDなどの画面以外でもよいし、数秒前であれば、表示機も予告画面程度は表示可能なものもるので、画面上にスーパーインポーズ表示してもよい。あるいは音声で知らせることも可能である。
【００５４】
なお、記憶装置としては、前述のように種々のものが採用可能であるが、本発明の目的には、DRAMがもっとも好適である。これは、他の不揮発性半導体メモリーに比較して安価であり、システムコントローラなどの他の回路との集積化も可能で製品全体として安価に構成できる可能性がある。また、磁気ディスク等は大容量の場合は安価といえるが、周辺回路が容量の大小にかかわらず必要なため、本発明の目的に必要な容量ではかえって高価になってしまう上に、電源オン時の立上がり時間が必要である。
【図面の簡単な説明】
【００５５】
【図１】本発明の特徴を説明する映像表示装置のブロック図
【図２】第一の実施例の時刻差解消を説明するグラフ
【図３】本発明の特徴を説明する映像表示装置の電源オン時のフローチャート図
【図４】本発明の特徴を説明する映像表示装置の通常動作時のフローチャート図
【図５】第二の実施例の再生速度倍率と時刻差の関係を説明するグラフ
【図６】第二の実施例の時刻差解消を説明するグラフ
【図７】第三の実施例の再生速度倍率と時刻差の関係を説明するグラフ
【図８】第三の実施例の時刻差解消を説明するグラフ
【図９】他の実施例の特徴を説明する映像表示装置の電源オン時のフローチャート図
【符号の説明】
【００５６】
１０１  受信部
１０２  制御信号検出部
１０３  記憶装置
１０４  音声信号処理部
１０５  音声出力部
１０６  映像信号処理部
１０７  映像表示部
１０８  システムコントローラ
１０９  モード表示部
１１０  操作信号入力部
【図１】
2010010799.tif 000003
【図２】
2010010799.tif 000004
【図３】
2010010799.tif 000005
【図４】
2010010799.tif 000006
【図５】
2010010799.tif 000007
【図６】
2010010799.tif 000008
【図７】
2010010799.tif 000009
【図８】
2010010799.tif 000010
【図９】
2010010799.tif 000011